(57)【要約】【課題】複数枚のセットした原稿を一度に連続して読み取らせた場合、読み取ったデータを１つのファイルにファイル化する画像読み取り装置があるが、この場合、セットした複数枚の原稿を幾つかに区分けして別の電子ファイルとして処理するためには、複数に区分けした原稿毎に何度も読み取らせる必要があった。【解決手段】  複数の原稿を連続して読み取り、読み取り内容に基づく原稿画像データを生成する原稿読み取り部１０９と、原稿画像データから、複数の原稿を区分けする仕切り紙に対応する分割位置データを判別する仕切り紙判別部１１０と、分割位置データに基づいて、仕切り紙によって区分けされた複数枚の原稿の区分け位置に対応する箇所で、原稿画像データを分割するデータ分割部１１１と、ここで分割された個々の分割画像データをそれぞれ電子ファイルに変換する設定・編集部１１４とを備える。【選択図】図１
2015026994.tif 000002
【特許請求の範囲】
【請求項１】
複数の原稿を連続して読み取り、読み取り内容に基づく原稿画像データを生成する原稿読み取り手段を有する画像読み取り装置において、
前記原稿画像データから、前記複数の原稿を区分けする仕切りシートに対応する分割位置データを判別する仕切り位置判別手段と、
前記分割位置データに基づいて、前記仕切りシートによって区分けされた前記複数枚の原稿の区分け位置に対応する箇所で、前記原稿画像データを分割するデータ分割手段と、
前記データ分割手段で分割された個々の分割画像データをそれぞれ電子ファイルに変換する変換手段と
を備えたことを特徴とする画像読み取り装置。
【請求項２】
前記仕切りシートは、読み取り面が無地の単一色の仕切り紙であることを特徴とする請求項１記載の画像読み取り装置。
【請求項３】
前記変換手段は、
外部から入力したデータに基づいて、前記分割画像データに対応するファイル名を含むファイル情報を形成するファイル情報形成手段と、
前記分割画像データを所定のファイル形式で変換し、それぞれ対応する前記ファイル情報を設定して前記電子ファイルを生成する設定・編集手段と
を有することを特徴とする請求項１又は２記載の画像読み取り装置。
【請求項４】
前記ファイル情報形成手段が、前記原稿読み取り手段による読み取りが実行される前に前記ファイル情報を形成することを特徴とする請求項３記載の画像読み取り装置。
【請求項５】
前記設定・編集手段は、前記分割画像データをそれぞれ対応する前記ファイル情報で指定されたファイル形式で変換することを特徴とする請求項４記載の画像読み取り装置。
【請求項６】
前記ファイル情報形成手段が、前記原稿読み取り手段による読み取りが実行された後に前記ファイル情報を形成することを特徴とする請求項３記載の画像読み取り装置。
【請求項７】
前記分割画像データを一時的に保存する分割画像データ一時保存部を備えることを特徴とする請求項６記載の画像読み取り装置。
【請求項８】
前記変換手段は、前記ファイル情報の初期設定値を予め用意し、前記ファイル情報形成手段よって、前記設定値を変更可能としたことを特徴とする請求項３乃至７の何れかに記載の画像読み取り装置。
【請求項９】
前記ファイル情報は、送信先情報又は保存先情報を含むことを特徴とする請求項３乃至８の何れかに記載の画像読み取り装置。
【請求項１０】
前記送信先情報は、メールアドレスであることを特徴とする請求項９記載の画像読み取り装置。
【請求項１１】
前記送信先情報は、ファックス番号であることを特徴とする請求項９記載の画像読み取り装置。
【請求項１２】
前記保存先情報による保存先は、着脱可能な可搬記憶媒体であることを特徴とする請求項９記載の画像読み取り装置。
【請求項１３】
前記保存先情報による保存先は、内臓の送信データ保存部であることを特徴とする請求項９記載の画像読み取り装置。
【請求項１４】
送信先情報又は保存先情報によって指示された宛先に前記電子ファイルを送信する送信手段を備えたことを特徴とする請求項９乃至１３の何れかに記載の画像読み取り装置。
【請求項１５】
前記分割位置データを画像データとして取り込まないことを特徴とする請求項１乃至１４の何れかに記載の画像読み取り装置。
【請求項１６】
前記原稿読み取り手段は、前記原稿の両面を読み込むことを特徴とする請求項１乃至１５の何れかに記載の画像読み取り装置。
【発明の詳細な説明】
【技術分野】
【０００１】
本発明は、画像読み取り装置に関し、特に一連の原稿を読み取って画像データを生成し、更に画像データからファイルを生成する画像読み取り装置に関するものである。
【背景技術】
【０００２】
画像読み取り装置には、装置にセットされた原稿を自動で搬送し読み取るＡＤＦ（Ａｕｔｏ  Ｄｏｃｕｍｅｎｔ  Ｆｅｅｄｅｒ）を備えるものがある。ＡＤＦを用いることによって、一度に大量の原稿を読み取り、読み取った原稿を電子ファイル化することが可能である（例えば、特許文献１参照）。
【先行技術文献】
【特許文献】
【０００３】
【特許文献１】特開２００９−１８２９４９号公報（第６頁、図４）
【発明の概要】
【発明が解決しようとする課題】
【０００４】
しかしながら、上記した従来の技術では、読み取った、ＡＤＦにセットした複数枚の原稿の読み取りデータを一つの電子ファイルとして処理するため、ＡＤＦにセットした複数枚の原稿を幾つかに区分けして各々別の電子ファイルとして処理するためには、複数に区分けした原稿毎に読み取らせる読み取り作業を何度も繰り返す必要があり、ユーザにとって非常に手間がかかる作業であった。
【課題を解決するための手段】
【０００５】
本発明の画像読み取り装置は、複数の原稿を連続して読み取り、読み取り内容に基づく原稿画像データを生成する原稿読み取り手段を有する画像読み取り装置であって、
前記原稿画像データから、前記複数の原稿を区分けする仕切りシートに対応する分割位置データを判別する仕切り位置判別手段と、前記分割位置データに基づいて、前記仕切りシートによって区分けされた前記複数枚の原稿の区分け位置に対応する箇所で、前記原稿画像データを分割するデータ分割手段と、前記データ分割手段で分割された個々の分割画像データをそれぞれ電子ファイルに変換する変換手段とを備えたことを特徴とする。
【発明の効果】
【０００６】
本発明によれば、多量の原稿を一度にまとめて読み取る際にも、所望する原稿毎にファイル化できるため、ユーザの読み取り作業負荷を軽減することが可能となる。
【図面の簡単な説明】
【０００７】
【図１】本発明に基づく実施の形態１の画像読み取り装置の要部機能ブロック構成を示すブロック図である。
【図２】画像読み取り装置にセットされる原稿を分離して示す分解斜視図である。
【図３】実施の形態１において、画像読み取り装置が行う、原稿の読み取りからファイルの送信までの動作の流れを示すフローチャートである。
【図４】実施の形態１において、読み取り方法の選択時に、パネル制御部によってその表示部に表示される表示例を示すスキャン設定画面である。
【図５】実施の形態１において、ファイル情報入力時に、パネル制御部によってその表示部に表示される表示例を示すファイル情報設定画面である。
【図６】実施の形態１において、ファイル情報入力時に、パネル制御部によってその表示部に表示される表示例を示すファイル情報設定画面である。
【図７】実施の形態１において、ファイル情報入力時に、パネル制御部によってその表示部に表示される表示例を示すファイル情報設定画面である。
【図８】実施の形態１において、ファイル情報の保存時に、表示部に表示される設定情報一覧画面である。
【図９】実施の形態１において、パネル制御部が、原稿読み取りを指示する前に、ユーザによる指示を得るために表示する設定情報一覧画面である。
【図１０】実施の形態１において、原稿読み取り処理実行中に表示される設定情報一覧画面である。
【図１１】実施の形態１において、ファイルの送信が終了した際に表示される送信処理終了画面である。
【図１２】入力したファイル情報の数と生成した分割画像データの数が一致しなかった場合に、表示される設定情報一覧画面である。
【図１３】本発明に基づく実施の形態２の画像読み取り装置の要部機能ブロック構成を示すブロック図である。
【図１４】実施の形態２において、画像読み取り装置が行う、原稿の読み取りからファイルの送信までの動作の流れを示すフローチャートである。
【図１５】実施の形態２において、読み取り方法の選択時に、パネル制御部によってその表示部に表示される表示例を示すスキャン設定画面である。
【図１６】実施の形態１において、パネル制御部が、原稿読み取りを指示する前に、ユーザによる指示を得るために表示する設定情報一覧画面である。
【図１７】実施の形態１において、原稿読み取り処理実行中に表示されるスキャン設定画面である。
【図１８】実施の形態２において、各分割画像データにデフォルトのファイル名と送信先、保存先が設定された際に表示されるデフォルトのファイル情報設定画面である。
【図１９】実施の形態２において、デフォルト設定を変更するか否かの指示を得るために表示されるデフォルトのファイル情報設定画面である。
【図２０】実施の形態２において、デフォルト設定のままで良いか否かの指示を得るために表示されるデフォルトのファイル情報設定画面である。
【図２１】実施の形態２において、ファイル情報変更時に、パネル制御部によってその表示部に表示される表示例を示すファイル情報設定画面である。
【図２２】実施の形態２において、ファイル情報変更時に、パネル制御部によってその表示部に表示される表示例を示すファイル情報設定画面である。
【図２３】実施の形態２において、ファイル情報変更時に、パネル制御部によってその表示部に表示される表示例を示すファイル情報設定画面である。
【図２４】実施の形態２において、ファイル情報の変更が完了した時点で、表示部に表示される設定情報一覧画面である。
【図２５】実施の形態２において、ファイル送信の指示を得るために、表示部に表示される設定情報一覧画面である。
【図２６】実施の形態２において、送信処理実行中に表示部に表示される設定情報一覧画面である。
【図２７】実施の形態２において、送信処理が完了した際に表示される送信処理終了画面である。
【発明を実施するための形態】
【０００８】
実施の形態１．
図１は、本発明に基づく実施の形態１の画像読み取り装置１０１の要部機能ブロック構成を示すブロック図である。
【０００９】
図１に示すように、画像読み取り装置１０１は、パネル制御部１０５、原稿設置部１０８、原稿読み取り部１０９、仕切り紙判別部１１０、データ分割部１１１、設定情報保存部１１３、設定・編集部１１４、データ送信部１１５、ＩＦ部１１６、及び送信データ一時保存部１１７を備え、ＵＳＢメモリ、ポータブルＨＤＤといった可搬記憶媒体１０２と接続可能であり、ネットワーク１１９を介して例えば第１ユーザＰＣ１０３、第２ユーザＰＣ１０４と接続されている。
【００１０】
可搬記憶媒体１０２には、画像読み取り装置１０１で読み取った原稿画像データが後述するように分割、編集されて格納され、第１ユーザＰＣ１０３及び第２ユーザＰＣ１０４には、画像読み取り装置１０１で読み取った原稿画像データが、同じく分割、編集されてネットワーク１１９経由のＥ−ｍａｉｌ送信などにより送信され、格納される。
【００１１】
ファイル情報形成手段としてのパネル制御部１０５は、操作部１０６と表示部１０７を備える。操作部１０６は、ユーザによる操作に基づいて、画像読み取り装置１０１の分割読み取り機能による原稿分割読み取りを開始する前に、後述する分割画像データに対するファイル名、ファイル形式、及び送信による送信先、保存先といったファイル情報を入力し、分割読み取りの実行を指示する。表示部１０７は、例えばオペレーションパネル上に画像読み取り処理の機能実行、実行完了画面や設定処理画面等の表示を行う。またオペレーションパネルでは、操作部１０６の入力機能（タッチ操作等による）を兼ねる場合もある。
【００１２】
原稿設置部１０８には、画像読み取り装置１０１で読み取る複数の原稿１５０がセットされる。図２は、ここで原稿設置部１０８にセットされる複数の原稿１５０を分離して示す分解斜視図である。同図に示すように、ここで原稿設置部１０８にセットされる複数の原稿１５０は、順に３枚に亘る第１文書１５１、４枚に亘る第２文書１５２、２枚の第３文書、及び３枚の第４文書を構成し束ねられたものであるが、更に各文書の最終頁に続いて無地で単一色の仕切り紙１５５が挿入されている。尚、各仕切り紙１５５は、後述するように、分割読み取りを行うために配置するものである。
【００１３】
原稿読み取り部１０９は、操作部１０６の指示に基づいて、原稿設置部１０８にセットされた複数の原稿１５０と仕切り紙１５５の分割読み取りを実行し、セットされた原稿１５０の読み取り内容に基づく原稿画像データを生成する。尚、原稿設置部１０８と原稿読み取り部１０９とが原稿読み取り手段に相当する。
【００１４】
仕切り位置判別手段に相当する仕切り紙判別部１１０は、分割読み取り時に、原稿読み取り部１０９で読み取った原稿画像データの中から、仕切り紙１５５（図２）に対応する分割位置データを判別する判別処理を行う。例えば、図２に示す複数の原稿１５０と仕切り紙１５５を読み取った場合、文章１５１〜１５４の各画像データ間、及び文章１５４の画像データの後に位置する分割位置データを判別する。
【００１５】
データ分割手段に相当するデータ分割部１１１は、分割位置データに基づいて、仕切り紙１５５によって区分けされた複数枚の原稿１５０の区分け位置に対応する箇所で、原稿読み取り部１０９で読み取った原稿画像データを分割した分割画像データを生成する。例えば、図２に示す複数の原稿１５０と仕切り紙１５５を読み取った場合、各文章１５１〜１５４に対応するデータ毎に読み取った原稿画像データを分割する。尚、原稿画像データを分割した段階で分割位置データは削除される。
【００１６】
尚、ここでは、図２に示すように、仕切り紙１５５と、仕切り紙によって仕切られる複数の原稿１５０からなる文章１５１〜１５５とを１対１で同数配置した例を示したが、図２に示す右端の仕切り紙１５５を除いて、区分けしたい文書間に仕切り紙１５５を配置するようにしてもよい。
【００１７】
設定情報保存部１１３は、データ分割部１１１で生成される各分割画像データに対応して、パネル制御部１０５で設定されるファイル名、変換するファイル形式、生成したファイルを送信する送信先、保存先といったファイル情報を保存する。
【００１８】
設定・編集手段に相当する設定・編集部１１４は、データ分割部１１１で生成された各分割画像データを、設定情報保存部１１３に一時保存された対応するファイル情報で指定されたファイル形成に変換し、同じく対応するファイル情報で指定されたファイル名、ファイル形式等を付帯した電子ファイルを生成する。更に設定・編集部１１４は、生成した電子ファイルを、同じく対応するファイル情報で指定された送信先、保存先に基づいて送信すべく、テータ送信部１１５に指示する。尚、設定・編集部１１４、パネル制御部１０５、及び設定情報保存部１１３が変換手段に相当する。
【００１９】
データ送信部１１５は、設定・編集部１１４で生成した電子ファイルを、指定された送信先或いは保存先に送信すべく、ＩＦ部１１６を介して指定された宛先に送信する。送信データ一時保存部１１７は、送信する電子ファイルを画像読み取り装置内に保持する場合にこれを格納する。尚、データ送信部１１５及びＩＦ部１１６がデータ送信手段に相当する。
【００２０】
以上の構成において、画像読み取り装置１０１の動作について説明する。図３は、画像読み取り装置１０１が行う、原稿の読み取りからファイルの送信までの動作の流れを示すフローチャートである。このフローチャートに基づいて、図１を参照しながら画像読み取り装置１０１の動作について説明する。
【００２１】
原稿設置部１０８に原稿をセットして画像読み取りを開始するに際し、ユーザは、通常読み取り処理を行うか分割読み取り処理を行うかを選択する（ステップＳ１０１）。図４は、この時の読み取り方法の選択時に、パネル制御部１０５によってその表示部１０７に表示される表示例を示すスキャン設定画面１６１である。ここでユーザは、例えばスキャン設定画面１６１に表示される方向キー１１ａ，１１ｂ，１１ｃ，１１ｄを押圧して指定位置（網掛け表示部）を移動して所望の指示キーを選択し、決定キー１２を押圧して決定する。ここでは通常読み取りモード或いは分割読み取りモードの何れかを選択し、決定する。尚、スキャン設定画面１６１の「ＳＣＡＮ」ボタン１３が、黒塗り表示されているのは、画像読み取り装置１０１がスキャンモード中であることを示している。
【００２２】
ここで、通常読み取り処理を選択した場合（ステップＳ１０１、通常読み取り）、原稿読み取り部１０９は、通常読み取り処理を実行し（ステップＳ１０２）、処理を終了する。一方分割読み取り処理を選択した場合（ステップＳ１０１、分割読み取り）、パネル制御部１０５は、分割読み取りを行った際の、分割画像データに設定するファイル名、分割画像データを変換するためのファイル形式、生成した電子ファイルの送信先、保存先等のファイル情報を入力する（ステップＳ１０３）。図５〜図７は、この時のファイル情報入力時に、パネル制御部１０５によってその表示部１０７に表示される表示例を示すファイル情報設定画面１６２である。
【００２３】
ここでユーザは、先ず図５のファイル情報設定画面１６２ａに示すように、ファイル名を「ｄｏｃｕｍｅｎｔ１」とし、Ｅ−メール送信を指定した分割画像データ（１）のファイル情報を入力し、次いで図６のファイル情報設定画面１６２ｂに示すように、ファイル名を「ｄｏｃｕｍｅｎｔ２」とし、接続された可搬記憶媒体（ここではＵＳＢメモリ）への保存を指定した分割画像データ（２）のファイル情報を入力し、そして図７のファイル情報設定画面１６２ｃに示すように、ファイル名を「ｄｏｃｕｍｅｎｔ３」とし、ＦＡＸ送信を指定した分割画像データ（３）のファイル情報を入力する。尚、ここでは、変換するファイル形式をすべて「ＰＤＦ」としている。
【００２４】
各分割画像データに設定する情報の入力が完了すると、装置内の設定情報保存部１１３が設定された各ファイル情報を一時保存する（ステップＳ１０４）。図８は、この保存時に表示部１０７に表示される表示例を示す設定情報一覧画面１６３である。同図に示すように、情報入力画面１６２では、入力されたファイル情報の一覧を表示する。
【００２５】
ステップＳ１０３でのファイル情報の入力が完了すると、パネル制御部１０５は、原稿読み取り部１０９に対して原稿読み取りを指示し（ステップＳ１０５）、原稿読み取り部１０９は、これにより原稿設置部１０８にセットされた原稿の読み取り内容に基づいた原稿画像データを生成する分割読み取り処理を実行し、完了する（ステップＳ１０６）。図９は、パネル制御部１０５が、ステップＳ１０５において原稿読み取りを指示する前に、ユーザによる指示を得るために、その表示部１０７に表示する表示例を示す設定情報一覧画面１６３ａである。
【００２６】
ここでは、設定情報一覧画面に、原稿読み取り処理を指示するか否かを問う設定ウインドウが表示され、ユーザは、「はい」を選択して実行を指示する。また図１０は、ステップＳ１０６において、原稿読み取り処理実行中に表示される表示例を示す設定情報一覧画面１６３ｂである。ここでは、設定情報一覧画面に、「読み取り中です」としたウインドウが表示される。
【００２７】
原稿の読み取りが終了すると、仕切り判別部１１０は、読み取った原稿画像データの中に仕切り紙１５５（図２参照）に対応する分割位置データがあるか否かを判別する（ステップＳ１０７）。
【００２８】
分割位置データがある場合（ステップＳ１０８、Ｙｅｓ）、データ分割部１１１は、原稿画像データを、分割位置データの位置で分割した複数の分割画像データを生成し（ステップＳ１１０）、分割の目安となった分割位置データを削除し（ステップＳ１１１）、ステップＳ１１２に至る。分割位置データがみつからない場合（ステップＳ１０８、Ｎｏ）、読み取った原稿画像データを１つの画像データとして生成し（ステップＳ１０９）、そのままステップＳ１１２に至る。
【００２９】
ステップＳ１１２で、設定・編集部１１４は、ステップＳ１０３で入力したファイル情報の数とステップＳ１１０で生成した分割画像データの数が一致するか否かを判定し、両者が一致する場合（ステップＳ１１２、Ｙｅｓ）データ分割部１１１で生成された各分割画像データを、設定情報保存部１１３に一時保存された対応するファイル情報で指定されたファイル形成に変換し、同じく対応するファイル情報で指定されたファイル名、ファイル形式等を付帯した電子ファイルを生成する。更に設定・編集部１１４は、生成した電子ファイルを、同じく対応するファイル情報で指定された送信先、保存先に基づいて送信すべく、データ送信部１１５に指示する（ステップＳ１１４）。データ送信部１１５は、各電子ファイルをそれぞれ指定された送信先或いは保存先に、ＩＦ部１１６を介して送信し（ステップＳ１１５）、処理を終了する。
【００３０】
図１１は、ステップＳ１１５において、各ファイルの送信が終了した際に、パネル制御部１０５によってその表示部１０７に表示される表示例を示す送信処理終了画面１６４である。同図に示すように、送信処理終了画面１６４では、各電子ファイルのファイル情報と送信結果を表示する。
【００３１】
一方、ステップＳ１０３で入力したファイル情報の数とステップＳ１１０で生成した分割画像データの数が一致しなかった場合（ステップＳ１１２、Ｎｏ）、これ等が一致しないことをエラーとして通知し（ステップＳ１１３）、処理を終了する。図１２は、この時、パネル制御部１０５によってその表示部１０７に表示される表示例を示す設定情報一覧画面１６３ｃである。ここでは、設定情報一覧画面に、分割エラーの内容を表示する警告ウインドウが表示される。
【００３２】
従って、本実施の形態１の画像読み取り装置は、図２に示すように、例えば、個々にファイル化を希望する一連の原稿（例えば図２に示す第１文章１５１〜第４文章１５４等）の最終頁に続いて無地で単一色の仕切り紙１５５を挿入して束ねた読み取り原稿を、原稿設置部１０８に設置すると、これらを一度に読み込み、読み込んだ原稿画像データを、ファイル化を希望する一連の原稿に対応する分割画像データに分割し、予め指定されたファイル形式でファイル化する。更に、ファイル化した電子ファイルを、予め指定された送信先への送信或いは保存を実行する。
【００３３】
以上のように、実施の形態１の画像読み取り装置によれば、多量の原稿を一度にまとめて読み取る際にも、仕切り紙を介在させることによって、所望の原稿間で分割して個々にファイル化できるため、１つのファイルとしたい原稿をまとめて読み取らせる読み取り作業を何度も繰り返す場合に比べて、ユーザの読み取り作業負荷を軽減できる。更に、本実施の形態１の画像読み取り装置によれば、仕切り紙１５５として無地用紙を用いるため、印刷が行われない手元にある用紙を用いることが可能となるため、専用の仕切り用紙を用意する必要がなく、実施が容易である。
【００３４】
実施の形態２．
図１３は、本発明に基づく実施の形態２の画像読み取り装置２０１の要部機能ブロック構成を示すブロック図である。
【００３５】
この画像読み取り装置２０１が前記した図１に示す実施の形態１の画像読み取り装置１０１と主に異なる点は、分割画像データ一時保存部２２０が追加された点と、設定・編集部２１４による処理動作、及びこれに伴うパネル制御部２０５による表示内容である。従って、この画像読み取り装置２０１が、前記した実施の形態１の画像読み取り装置１０１（図１）と共通する部分には同符号を付して、或いは図面を省いて説明を省略し、異なる点を重点的に説明する。
【００３６】
パネル制御部２０５は、操作部１０６と表示部１０７を備える。操作部１０６は、ユーザによる操作に基づいて、画像読み取り装置２０１の分割読み取りの実行、原稿分割読み取りが完了した分割画像データに対するファイル名、及び送信による送信先、保存先といったファイル情報を入力する。
【００３７】
分割画像データ一時保存部２２０は、データ分割部１１１で生成された分割画像データを、設定・編集部２１４で編集させるために一時保存する。設定・編集部２１４は、分割画像データ一時保存部２２０に格納されている分割画像データを、所定のファイル形式に変換し、対応するファイル情報で指定されたファイル名等を付帯した電子ファイルを生成する。更に設定・編集部１１４は、生成した電子ファイルを、同じく対応するファイル情報で指定された送信先、保存先に基づいて送信すべく、データ送信部１１５に指示する。
【００３８】
以上の構成において、画像読み取り装置２０１の動作について説明する。図１４は、画像読み取り装置２０１が行う、原稿の読み取りからファイルの送信までの動作の流れを示すフローチャートである。このフローチャートに基づいて、図１３を参照しながら画像読み取り装置２０１の動作について説明する。
【００３９】
原稿設置部１０８に原稿をセットして画像読み取りを開始するに際し、ユーザは、通常読み取り処理を行うか分割読み取り処理を行うかを選択する（ステップＳ２０１）。図１５は、この時の読み取り方法の選択時に、パネル制御部２０５によってその表示部１０７に表示される表示例を示すスキャン設定画面２６１である。ここでユーザは、例えばスキャン設定画面２６１に表示される方向キー１１ａ，１１ｂ，１１ｃ，１１ｄを押圧して指定位置（網掛け表示部）を移動して所望の指示キーを選択し、決定キー１２を押圧して決定する。ここでは通常読み取りモード或いは分割読み取りモードの何れかを選択し、決定する。
【００４０】
ここで、通常読み取り処理を選択した場合（ステップＳ２０１、通常読み取り）、原稿読み取り部１０９は、通常読み取り処理を実行し（ステップＳ２０２）、処理を終了する。一方分割読み取り処理を選択した場合（ステップＳ２０１、分割読み取り）、パネル制御部１０５は、原稿読み取り部１０９に対して原稿読み取りを指示し（ステップＳ２０３）、原稿読み取り部１０９は、これにより原稿設置部１０８にセットされた原稿の読み取り内容に基づいた原稿画像データを生成する分割読み取り処理を実行し、完了する（ステップＳ２０４）。図１６は、パネル制御部１０５が、ステップＳ２０３において原稿読み取りを指示する前に、ユーザによる指示を得るために、その表示部１０７に表示する表示例を示すスキャン設定画面２６１ａである。
【００４１】
ここでは、スキャン設定画面に、原稿読み取り処理を指示するか否かを問う設定ウインドウが表示され、ユーザは、「はい」を選択して実行を指示する。また図１７は、ステップＳ２０４において、原稿読み取り処理実行中に表示される表示例を示すスキャン設定画面２６１ｂである。ここでは、スキャン設定画面に、「読み取り中です」としたウインドウが表示される。
【００４２】
原稿の読み取りが終了すると、仕切り判別部１１０は、読み取った原稿画像データの中に仕切り紙１５５（図２参照）に対応する分割位置データがあるか否かを判別する（ステップＳ２０５）。分割位置データがある場合（ステップＳ２０６、Ｙｅｓ）、データ分割部１１１は、原稿画像データを、分割位置データの位置で分割した複数の分割画像データを生成して送信データ一時保存部１１７に保存し（ステップＳ２０８）、分割の目安となった分割位置データを削除し（ステップＳ２０９）、ステップＳ２１０に至る。一方分割位置データがみつからない場合（ステップＳ２０６、Ｎｏ）、読み取った原稿画像データを１つの画像データとして生成し（ステップＳ２０７）、そのままステップＳ２１０に至る。
【００４３】
ステップＳ２１０で、設定・編集部１１４は、送信データ一時保存部１１７に保存されている各分割画像データに、装置に設定されているデフォルトのファイル情報であるファイル名と送信先、保存先を設定する。図１８は、ステップＳ２１０において、各分割画像データにデフォルトのファイル名と送信先、保存先が設定された際に、パネル制御部２０５によってその表示部１０７に表示される表示例を示すデフォルトのファイル情報設定画面２６２である。同図に示すように、各分割画像データには、順次付された連番の識別番号によって識別されるデフォルトのファイル名が暫定的に割り振られる。ここでは、各分割画像データにファイル名「Ｆｉｌｅ１．ｐｄｆ」〜「Ｆｉｌｅ３．ｐｄｆ」及び送信先としての「プリンタＨＤＤ」が暫定的に設定される。
【００４４】
更に設定・編集部１１４は、デフォルト設定されたファイル情報、即ち暫定的に設定されたファイル名と送信先、保存先を変更するか否かをユーザに選択させる（ステップＳ２１１）。図１９は、ステップＳ２１１において、変更するか否かの指示を得るため、パネル制御部２０５によってその表示部１０７に表示される表示例を示すデフォルトのファイル情報設定画面２６２ａである。
【００４５】
ここでは、デフォルトのファイル情報設定画面に、デフォルト設定されたファイル情報を変更するか否かを問う設定ウインドウが表示され、ここでユーザが「いいえ」を選択した場合（ステップＳ２１１、Ｎｏ）、更にデフォルトの設定で問題ないか否かをユーザに選択させる（ステップＳ２１２）。図２０は、ステップＳ２１２において、デフォルト設定のままで良いか否かの指示を得るため、パネル制御部２０５によってその表示部１０７に表示される表示例を示すデフォルトのファイル情報設定画面２６２ｂである。
【００４６】
ここでは、デフォルトのファイル情報設定画面に、デフォルトの設定で送信／保存を指示するか否かを問う設定ウインドウが表示され、ここでユーザが「はい」を選択した場合（ステップＳ２１２、Ｙｅｓ）、設定・編集部２１４は、分割画像データ一時保存部２２０に格納されている分割画像データを、所定のファイル形式に変換し、デフォルト設定されたファイル情報で指定されたファイル名等を付帯した電子ファイルを生成し、更に生成した電子ファイルを、同じく対応するファイル情報で指定された送信先、保存先に基づいて送信すべく、テータ送信部１１５に指示する。データ送信部１１５は、各電子ファイルをそれぞれ指定された送信先或いは保存先に、ＩＦ部１１６を介して送信する（ステップＳ２１４）。一方、ユーザが「いいえ」を選択した場合（ステップＳ２１２、Ｎｏ）、ステップＳ２１１に戻る。
【００４７】
図１９に示す設定ウインドウにおいて「はい」を選択した場合（ステップＳ２１１、Ｙｅｓ）、ユーザは生成された各分割画像データヘ、デフォルト設定から変更した所望のファイル名、送信先／保存先をそれぞれ設定し、設定・編集部２１４は、分割画像データ一時保存部２２０に格納されている分割画像データを、所定のファイル形式に変換し、変更されたファイル情報で指定されたファイル名等を付帯した電子ファイルを生成し、更に生成した電子ファイルを、同ファイル情報で指定された送信先、保存先に基づいて送信すべく、データ送信部１１５に指示する（ステップＳ２１３）。データ送信部１１５は、各電子ファイルをそれぞれ指定された送信先或いは保存先に、ＩＦ部１１６を介して送信し（ステップＳ２１４）、処理を終了する。
【００４８】
図２１〜図２４は、ステップＳ２１３におけるファイル情報変更時に、パネル制御部２０５によってその表示部１０７に表示される表示例を示すファイル情報設定画面である。ここでユーザは、先ず図２１の分割画像データ設定画面２６３ａに示すように、分割画像データ（１）のファイル名をデフォルト設定から「ｄｏｃｕｍｅｎｔ１」に変更し、送信先をデフォルト設定からＥ−メール送信によるアドレスに変更し、次いで図２２の分割画像データ設定画面２６３ｂに示すように、分割画像データ（２）のファイル名をデフォルト設定から「ｄｏｃｕｍｅｎｔ２」に変更し、送信先をデフォルト設定から可搬記憶媒体（ここではＵＳＢメモリ）ＵＳＢメモリに変更し、そして図２３の分割画像データ設定画面２６３ｃに示すように、分割画像データ（３）のファイル名をデフォルト設定から「ｄｏｃｕｍｅｎｔ３」に変更し、送信先をデフォルト設定からファックス送信によるファックス番号に変更している。
【００４９】
更にこれらの入力が完了した時点で、図２４の設定情報一覧画面２６４に示すように、入力設定された情報の一覧を表示する。
【００５０】
図２５は、ステップＳ２１４での送信を実行するに際して、送信指示を得るために、パネル制御部２０５によってその表示部１０７に表示される表示例を示す設定情報一覧画面２６４ａである。ここでは、設定情報一覧画面に、送信処理の実行指示を受けるための設定ウインドウが表示され、ユーザは、「はい」を選択して実行を指示する。また図２６は、ステップＳ２１４において、送信処理実行中に表示される表示例を示す設定情報一覧画面２６４ｂである。ここでは、設定情報一覧画面に、「送信処理中です」としたウインドウが表示される。
【００５１】
図２７は、同じくステップＳ２１４での送信処理が完了した際に、パネル制御部２０５によってその表示部１０７に表示される表示例を示す送信処理終了画面２６５である。同図に示すように、送信処理終了画面２６５では、各電子ファイルのファイル情報と送信結果を表示する。
【００５２】
従って、本実施の形態２の画像読み取り装置は、図２に示すように、例えば、個々にファイル化を希望する一連の原稿（例えば図２に示す第１文章１５１〜第４文章１５４等）の最終頁に続いて無地の単一色の仕切り紙１５５を挿入して束ねた読み取り原稿を、原稿設置部１０８に設置すると、これらを一度に読み込み、読み込んだ原稿画像データを、ファイル化を希望する一連の原稿に対応する分割画像データに分割し、個々の分割画像データに対応して逐次設定したファイル情報に従ってファイル化する。更に、ファイル化した電子ファイルを、同ファイル情報で指定された送信先への送信或いは保存を実行する。
【００５３】
以上のように、実施の形態２の画像読み取り装置によれば、多量の原稿を一度にまとめて読み取る際にも、仕切り紙を介在させることによって、所望の原稿間で分割して個々にファイル化できるため、１つのファイルとしたい原稿をまとめて読み取らせる読み取り作業を何度も繰り返す場合に比べて、ユーザの読み取り作業負荷を軽減できる。更に原稿を読み取って分割画像データを生成した後にファイル情報を設定するため、ファイル情報を過不足なく設定することが可能となる。
【００５４】
尚、前記した実施の形態１では、ファイル情報を入力する際に、各データを新たに入力するように説明したが、実施の形態２と同様に、各データを予めデフォルト設定するように構成してもよい。
【００５５】
また前記した各実施の形態では、原稿読み取り部１０９が片面印刷した原稿を想定して説明したが、これに限定するものではなく、両面印刷したものであってもよい。
【００５６】
更に前記した各実施の形態では、仕切り紙１５５を無地で単一色のものとして説明したが、これに限定されるものではなく、原稿と区別できるものであればシート状の部材であってもよい。
【産業上の利用可能性】
【００５７】
上記した実施の形態では、画像読取装置として説明を行ったが、本発明は、これに限定されるものではなく、画像を読み取って送信する機能があれば良く、例えばファクシミリ装置、複写装置、ＭＦＰ（Ｍｕｌｔｉｆｕｎｃｔｉｏｎ  Ｐｅｒｉｐｈｅｒａｌ）等に適用可能である。
【符号の説明】
【００５８】
１１ａ  方向キー、  １１ｂ  方向キー、  １１ｃ  方向キー、  １１ｄ  方向キー、  １２  決定キー、  １３  「ＳＣＡＮ」ボタン、  １０１  画像読み取り装置、  １０２  可搬記憶媒体、  １０３  第１ユーザＰＣ、  １０４  第２ユーザＰＣ、  １０５  パネル制御部、  １０６  操作部、  １０７  表示部、  １０８  原稿設置部、  １０９  原稿読み取り部、  １１０  仕切り紙判別部、  １１１  データ分割部、  １１３  設定情報保存部、  １１４  設定・編集部、  １１５  データ送信部、  １１６  ＩＦ部、  １１７  送信データ一時保存部、  １１９  ネットワーク、  １５０  原稿、  １５１  第１文書、  １５２  第２文書、  １５３  第３文書、  １５４  第４文書、  １５５  仕切り紙、  ２０１  画像読み取り装置、  ２０５  パネル制御部、  ２１４  設定・編集部、  ２２０  分割画像データ一時保存部。
【図１】
2015026994.tif 000003
【図２】
2015026994.tif 000004
【図３】
2015026994.tif 000005
【図４】
2015026994.tif 000006
【図５】
2015026994.tif 000007
【図６】
2015026994.tif 000008
【図７】
2015026994.tif 000009
【図８】
2015026994.tif 000010
【図９】
2015026994.tif 000011
【図１０】
2015026994.tif 000012
【図１１】
2015026994.tif 000013
【図１２】
2015026994.tif 000014
【図１３】
2015026994.tif 000015
【図１４】
2015026994.tif 000016
【図１５】
2015026994.tif 000017
【図１６】
2015026994.tif 000018
【図１７】
2015026994.tif 000019
【図１８】
2015026994.tif 000020
【図１９】
2015026994.tif 000021
【図２０】
2015026994.tif 000022
【図２１】
2015026994.tif 000023
【図２２】
2015026994.tif 000024
【図２３】
2015026994.tif 000025
【図２４】
2015026994.tif 000026
【図２５】
2015026994.tif 000027
【図２６】
2015026994.tif 000028
【図２７】
2015026994.tif 000029